(57)【特許請求の範囲】
【請求項１】
折戸の戸尻側戸板の縦枠側端部を回転自在に保持する保持具であって、
前記戸尻側戸板の縦枠側端部の下端部に固定される金属製の戸板側部材と、
縦枠の見込面に沿うように固定される固定片部の下端部から保持片部を突出させた金属製の縦枠側部材と、
前記縦枠側部材の保持片部に設けられた軸部の外周面を全周に亘って覆うように配され、前記戸板側部材に設けられた軸受穴に差し入れられる円筒状部を有した樹脂製の軋み音抑制部材と、
を備えており、
前記軋み音抑制部材は、前記円筒状部の前記軸受穴への挿入方向末端側となる開口周縁側端部に全周に亘って設けられ、該軸受穴の開口周縁に当接される鍔状部を備え、前記軋み音抑制部材の円筒状部には、前記戸板側部材に設けられた被係合部に係合する突起部が径方向に向けて突出するように設けられ、前記鍔状部から前記突起部までの軸方向に沿う寸法が、前記軸受穴の開口周縁から前記被係合部までの軸方向に沿う寸法に応じた寸法とされていることを特徴とする保持具。
【請求項２】
請求項１において、
前記突起部は、前記円筒状部の外周面に対して径方向に出没する構成とされていることを特徴とする保持具。
【請求項３】
請求項１または２において、
前記戸尻側戸板の縦枠側端部の上端部に固定される金属製の戸板上端側部材と、
上枠側に固定される金属製の上枠側部材と、
これら戸板上端側部材及び上枠側部材のうちの一方に設けられた軸部の外周面を全周に亘って覆うように配され、他方に設けられた軸受穴に差し入れられる請求項１または２に記載の軋み音抑制部材と、
を更に備えており、
前記戸板上端側部材及び前記上枠側部材のうちの他方には、前記軋み音抑制部材の突起部が係合する被係合部が設けられていることを特徴とする保持具。
【請求項４】
請求項３において、
前記戸板側部材としての戸板下端側部材及び前記戸板上端側部材は、互いに同一部材からなり、前記上枠側部材に前記軸部が設けられていることを特徴とする保持具。
【請求項５】
戸先側戸板と戸尻側戸板とを折り畳み展開自在に連結した折戸と、
該折戸の戸尻側戸板の縦枠側端部を回転自在に保持する請求項１乃至４のいずれか１項に記載の保持具と、
を備えていることを特徴とする折戸装置。
【発明の詳細な説明】
【技術分野】
【０００１】
本発明は、折戸の戸尻側の縦枠側端部を回転自在に保持する保持具及びこれを備えた折戸装置に関する。
【背景技術】
【０００２】
従来より、折戸の戸尻側戸板の縦枠側端部の下端側を回転自在に保持する固定ピンや軸受部材等の保持具が知られている。このような保持具は、一般的には、床等にねじや釘等の止具によって固定される。しかしながら、固定対象となる床がコンクリート仕上げやタイル仕上げ、カーペット仕上げであったり、コンクリート下地上に薄型床材を貼着したような構造であった場合等には、止具によって保持具を床側に固定し難くなることが考えられる。
例えば、下記特許文献１には、開口枠に固定されるＬ字状ブラケットの横腕の上面に下ピボット軸を設け、この下ピボット軸が嵌合する軸受穴を設けた軸受ユニットを戸パネルの下隅に埋設した折り畳みドアが開示されている。
【先行技術文献】
【特許文献】
【０００３】
【特許文献１】特開２０１２−４１６８８号公報
【発明の概要】
【発明が解決しようとする課題】
【０００４】
しかしながら、上記のような保持具を構成する下ピボット軸や軸受ユニットは、金属製からなるため、開閉時にこれらが互いに擦れて軋み音が生じ易くなるという問題があった。特に、上記のような止具によって保持具を固定し難い床となる場合が多々ある病院や福祉施設等の公共的な施設では、車椅子等が出入し易いように有効開口幅を大きくする必要があり、それにより、折戸も重くなり、上記のような軋み音が顕著になることが考えられる。
【０００５】
本発明は、上記実情に鑑みてなされたものであり、折戸の開閉時における軋み音の発生を抑制し得る保持具及びこれを備えた折戸装置を提供することを目的とする。
【課題を解決するための手段】
【０００６】
上記目的を達成するために、本発明に係る保持具は、折戸の戸尻側戸板の縦枠側端部を回転自在に保持する保持具であって、前記戸尻側戸板の縦枠側端部の下端部に固定される金属製の戸板側部材と、縦枠の見込面に沿うように固定される固定片部の下端部から保持片部を突出させた金属製の縦枠側部材と、前記縦枠側部材の保持片部に設けられた軸部の外周面を全周に亘って覆うように配され、前記戸板側部材に設けられた軸受穴に差し入れられる円筒状部を有した樹脂製の軋み音抑制部材と、を備えており、前記軋み音抑制部材は、前記円筒状部の前記軸受穴への挿入方向末端側となる開口周縁側端部に全周に亘って設けられ、該軸受穴の開口周縁に当接される鍔状部を備え、前記軋み音抑制部材の円筒状部には、前記戸板側部材に設けられた被係合部に係合する突起部が径方向に向けて突出するように設けられ、前記鍔状部から前記突起部までの軸方向に沿う寸法が、前記軸受穴の開口周縁から前記被係合部までの軸方向に沿う寸法に応じた寸法とされていることを特徴とする。
【０００７】
また、上記目的を達成するために、本発明に係る折戸装置は、戸先側戸板と戸尻側戸板とを折り畳み展開自在に連結した折戸と、該折戸の戸尻側戸板の縦枠側端部を回転自在に保持する本発明に係る保持具と、を備えていることを特徴とする。
【発明の効果】
【０００８】
本発明に係る保持具及びこれを備えた折戸装置は、上述のような構成としたことで、折戸の開閉時における軋み音の発生を抑制することができる。
【図面の簡単な説明】
【０００９】
【図１】本発明の一実施形態に係る保持具及びこれを備えた折戸装置の一例を模式的に示し、図４（ｂ）におけるＸ−Ｘ線矢視に対応させた一部を省略した一部破断概略縦断面図である。
【図２】（ａ）は、同保持具の一例を模式的に示す概略分解斜視図、（ｂ）は、同保持具の概略斜視図である。
【図３】（ａ）は、図１に対応させた一部を省略した一部破断概略縦断面図、（ｂ）は、図４（ａ）におけるＹ−Ｙ線矢視に対応させた一部を省略した一部破断概略縦断面図、（ｃ）は、同保持具が備える戸板側部材の一例を模式的に示す概略分解斜視図である。
【図４】（ａ）は、同折戸装置を設置した状態を模式的に示す一部破断概略正面図、（ｂ）は、（ａ）におけるＺ−Ｚ線矢視に対応させた一部を省略した一部破断概略横断面図である。
【発明を実施するための形態】
【００１０】
以下に本発明の実施の形態について、図面に基づいて説明する。
なお、一部の図では、他図に付している詳細な符号の一部を省略している。
また、以下の実施形態では、本実施形態に係る保持具及びこれを備えた折戸装置を施工した状態を基準として、上下方向等の方向を説明する。
【００１１】
図１〜図４は、本実施形態に係る保持具及びこれを備えた折戸装置の一例を模式的に示す図である。
本実施形態に係る保持具１は、図１及び図４に示すように、折戸４の戸尻側戸板６の縦枠側端部を回転自在に保持する構成とされている。本実施形態に係る折戸装置Ａは、この保持具１と、戸先側戸板５と戸尻側戸板６とを折り畳み展開自在に連結した折戸４と、を備えている。
【００１２】
折戸４が建て付けられる戸枠は、図４に示すように、折戸４によって開閉される出入口の間口方向（開口幅方向）両側を区画するように設けられる一対の縦枠３，３と、出入口の上側を区画するように設けられる上枠２と、を備えている。図例では、戸枠を、出入口の下側を床面とした三方枠とした例を示している。この床面は、コンクリート仕上げやタイル仕上げ、カーペット仕上げ等とされたものでもよく、コンクリート下地上に貼着された薄型床材によって構成されたものでもよい。
上枠２には、折戸４の戸先側戸板５を吊り下げ支持する上レール２ｃが設けられている。また、上枠２には、下向きに開口し、上レール２ｃを受け入れる凹溝２ａ（図１参照）が長手方向に延びるように設けられている。上レール２ｃは、戸先側戸板５の上端部に設けられたランナー部材５ａのローラー等を上レール２ｃの長手方向に沿って転動自在に支持する構成とされたものとしてもよい。例えば、縦断面形状が下方に向けて開口する略コ字状（略Ｕ字状または略Ｃ字状）とされた上レール２ｃとしてもよい。
【００１３】
一対の縦枠３，３の互いに向き合う見込面（３ａ）側には、戸当り部が設けられている。図例では、各縦枠３，３の見込方向略中央部位に戸当り部を設けた例を示している。
なお、一対の縦枠３，３のうちの戸先側の縦枠３に、折戸４の構成等に応じてラッチ受（ストライク）や錠受等を設けてもよい。
また、図例では、これら縦枠３，３及び上枠２を、固定枠状とした例を示しているが、見込方向両側に額縁を備えたいわゆるケーシング枠状とされたものとしてもよい。
また、これら縦枠３，３及び上枠２は、折戸装置Ａが備えるものとしてもよい。つまり、折戸装置Ａを、保持具１と、折戸４と、折戸４が建て付けられる戸枠と、を備えた構成としてもよい。
【００１４】
折戸４は、図４（ｂ）に示すように、戸先側戸板５と戸尻側戸板６とを展開した状態で出入口を閉鎖する一方、戸先側戸板５と戸尻側戸板６とを折り畳んだ状態で出入口を開放する構成とされている。
本実施形態では、折戸４を、戸先側戸板５の戸幅寸法を戸尻側戸板６の戸幅寸法よりも大きい寸法としたいわゆる親子扉型としている。また、本実施形態では、戸先側戸板５と戸尻側戸板６との連結側端部同士を、上下一対の連結部材４ａ，４ａによって折り畳み展開自在に連結した構成としている。
図例では、これら上下の連結部材４ａ，４ａを、上下の連結部材４ａ，４ａに対して各戸板５，６が上下方向に沿う軸（垂直軸）廻りに回転自在となるように各戸板５，６の上端及び下端における互いの連結側端部に跨るように設けた例を示している。なお、このような態様に代えて、例えば、各戸板５，６を蝶番等によって連結してもよい。
【００１５】
戸尻側戸板６は、その縦枠側端部が後記する保持具１によって上下方向に沿う軸部１４（１８）廻りに回転自在に保持される構成とされている。
戸先側戸板５の上端部には、上レール２ｃに案内支持されるランナー部材５ａが連結固定されている。ランナー部材５ａは、折り畳み支点となる連結部材４ａからの戸幅方向に沿う寸法が、連結部材４ａから戸尻側戸板６の回転支点となる軸部１４（１８）までの戸幅方向に沿う寸法と略同寸法となるように、戸先側戸板５の戸幅方向途中部位に設けられている。また、ランナー部材５ａは、戸先側戸板５に対して上下方向に沿う軸廻りに回転自在に連結されている。このような構成により、戸先側戸板５は、当該折戸４の折り畳み及び展開を伴い、ランナー部材５ａの軸廻りに回転しながら上レール２ｃに沿って移動する構成とされている。また、この戸先側戸板５には、当該折戸４を開閉する際に手掛けされるハンドル部が設けられている。
【００１６】
なお、本実施形態に係る折戸装置Ａは、止具によって保持具１を床側には固定し難くなる場合が多々ある病院や福祉施設等の公共的な施設に設置されるものとしてもよい。また、折戸４を開放させた状態における有効開口幅寸法が、車椅子や両杖使用者等の出入りがし易いように、比較的に大きい寸法とされたものとしてもよい。例えば、当該折戸装置Ａを、折戸４を開放させた状態における有効開口幅寸法が８００ｍｍ以上、好ましくは、９００ｍｍ以上となるように構成してもよい。
【００１７】
保持具１は、図１に示すように、戸尻側戸板６の縦枠側端部の下端部に固定される金属製の戸板側部材２０と、戸尻側の縦枠３の見込面３ａに沿うように固定される固定片部１１の下端部から保持片部１３を突出させた金属製の縦枠側部材１０と、を備えている。また、保持具１は、これら戸板側部材２０及び縦枠側部材１０の保持片部１３のうちの一方に設けられた軸部１４の外周面を全周に亘って覆うように配され、他方に設けられた軸受穴２２ａに差し入れられる樹脂製の軋み音抑制部材３０を備えている。
本実施形態では、保持具１を、戸尻側戸板６の縦枠側端部の上端部に固定される金属製の戸板上端側部材２０Ａと、上枠２側に固定される金属製の上枠側部材１５と、を備えた構成としている。また、保持具１を、これら戸板上端側部材２０Ａ及び上枠側部材１５のうちの一方に設けられた軸部１８の外周面を全周に亘って覆うように配され、他方に設けられた軸受穴２２ａに差し入れられる軋み音抑制部材３０Ａと、を備えた構成としている。
つまり、本実施形態では、保持具１を、戸尻側戸板６の縦枠側端部の上端側及び下端側を、軸部１４，１８廻りに回転自在に保持する構成としている。
【００１８】
また、本実施形態では、戸尻側戸板６の下端側の軸部１４を、縦枠側部材１０の保持片部１３に設け、戸尻側戸板６の上端側の軸部１８を、上枠２側に固定される上枠側部材１５に設けている。つまり、これら軸部１４，１８をそれぞれに受け入れ、軋み音抑制部材３０，３０Ａがそれぞれに取り付けられる軸受穴２２ａ，２２ａを、戸板側部材としての戸板下端側部材２０及び戸板上端側部材２０Ａのそれぞれに設けた構成としている。
また、本実施形態では、縦枠側部材１０に設けられた軸部１４と上枠側部材１５に設けられた軸部１８とを略同寸同形状としている。
また、本実施形態では、戸板下端側部材２０と戸板上端側部材２０Ａとを、互いに同様の構成とされた同一部材からなるものとしている。また、戸板下端側部材２０の軸受穴２２ａに差し入れられる軋み音抑制部材３０と戸板上端側部材２０Ａの軸受穴２２ａに差し入れられる軋み音抑制部材３０Ａとを互いに同様の構成とされた同一部材からなるものとしている。
【００１９】
縦枠側部材１０の固定片部１１及び保持片部１３は、図１及び図２に示すように、それぞれ薄板状とされている。縦枠側部材１０は、これら固定片部１１と保持片部１３とを、略直交状に設けた構成とされ、見込方向に見て、略Ｌ字状とされている。
固定片部１１は、厚さ方向を戸尻側の縦枠３の厚さ方向（間口方向）に沿わせて配され、戸尻側の縦枠３の戸当り部の見込方向手前側の見込面３ａにねじ等の止具９によって固定される。固定片部１１には、止具９が挿通される止具挿通孔１２が厚さ方向に貫通するように設けられている。図例では、固定片部１１に、上下方向及び間口方向に沿う方向のそれぞれに間隔を空けて複数の止具挿通孔１２を設けた例を示している。なお、止具挿通孔１２を、縦枠３の見込面３ａに対する縦枠側部材１０の上下方向または見込方向に沿う位置調整が可能なように長穴形状等としてもよい。
【００２０】
保持片部１３は、固定片部１１の下端部に連なるように設けられ、厚さ方向を上下方向に沿わせて配される。図例では、保持片部１３を、上下方向に見て、突出方向先端部が半円状の突湾曲形状とされたものとしている。この保持片部１３は、床面に近接または当接して配される。
軸部１４は、薄板状とされた保持片部１３から上方に向けて突出するように設けられ、略円柱状とされている。この軸部１４は、戸尻側の縦枠３の見込面３ａから戸幅方向に間隔を空けて適宜の位置となるように保持片部１３に設けられている。図例では、保持片部１３の突出方向先端側部位に軸部１４を設けた例を示している。また、図例では、別部材とされた軸部１４に設けられた係合凸部を嵌め入れる係合孔を保持片部１３に設け、軸部１４の係合凸部を固定する固定部材を保持片部１３の裏面（下面）側に設けた構成としている。また、保持片部１３の裏面側に該固定部材を受け入れるように形成された下向き開口状の凹所を設けた例を示している。なお、このような態様に代えて、軸部１４を保持片部１３に一体的に設けた態様としてもよい。
【００２１】
上枠側部材１５は、図１及び図２に示すように、ブロック状とされた本体部から下方に向けて突出させるように軸部１８を設けた構成とされている。この軸部１８は、下端側の縦枠側部材１０の軸部１４と同軸状となるように配される。なお、この軸部１８は、ブロック状の本体部に対して軸方向に出没自在とされ、かつ突出方向にばね等の付勢部材によって付勢されたものとしてもよい。
この上枠側部材１５は、上枠２に設けられた凹溝２ａに嵌め込まれるように止具９によって固定される。また、上枠側部材１５は、軸部１８が上レール２ｃよりも下方側に露出するように、上枠２に固定される。図例では、上枠２の凹溝２ａの溝底側に設けられた係合凹所２ｂに嵌め入れられる係合凸部１６を上枠側部材１５のブロック状の本体部から上方に向けて突出させるように設けた例を示している。また、図例では、この係合凸部１６を、軸部１８と同軸状に設けた例を示している。
【００２２】
また、上枠側部材１５には、止具９が挿通される止具挿通孔１７が上下方向に貫通するように設けられている。図例では、上枠側部材１５の係合凸部１６及び軸部１８の間口方向両側のそれぞれに止具挿通孔１７，１７を設けた例を示している。
なお、上レール２ｃの天板部に、上枠側部材１５を受け入れる切欠きを設けるようにしてもよい。
また、図例では、上枠側部材１５を、そのブロック状の本体部の戸尻側の縦枠３側の端面が戸尻側の縦枠３の見込面３ａに当接または近接するように上枠２に取り付けられる構成としている。
【００２３】
軋み音抑制部材３０は、図１及び図２に示すように、軸部１４を受け入れる軸挿通穴３３を設けた構成とされている。この軸挿通穴３３は、内周面が軸部１４の外周面に全周に亘って当接または近接するように、その内径が軸部１４の外径に応じた寸法とされ、軸部１４の外径と略同径とされている。また、本実施形態では、この軸挿通穴３３を、当該軋み音抑制部材３０に軸方向に貫通させるように設けている。なお、このように軸挿通穴３３を貫通させた態様に代えて、軋み音抑制部材３０を有底筒状としてもよい。
この軋み音抑制部材３０は、軸方向（上下方向）に沿う寸法が、軸部１４の外周面を全周に亘って覆うように軸部１４の軸方向に沿う寸法と概ね同寸法とされている。なお、この軋み音抑制部材３０の軸方向に沿う寸法を、軸部１４の軸方向に沿う寸法よりも僅かに大きい寸法としたり、小さい寸法としたりしてもよい。
【００２４】
また、本実施形態では、軋み音抑制部材３０を、後記する軸受穴２２ａに差し入れられる円筒状部３１と、この円筒状部３１における軸受穴２２ａの開口周縁側端部に全周に亘って設けられ、軸受穴２２ａの開口周縁に当接される鍔状部３２と、を備えた構成としている。つまり、軋み音抑制部材３０を、略ハット形状としている。
円筒状部３１は、軸方向に見て、外郭形状が円形状とされ、軸挿通穴３３と同軸状（同心状）とされている。本実施形態では、この円筒状部３１の軸受穴２２ａへの挿入方向先端側となる反開口周縁側端部に、挿入方向先側に向けて先細り状となるように面取り部を設けた構成としている。
また、この円筒状部３１の外径は、軸受穴２２ａの内径に応じた寸法とされ、軸受穴２２ａの内径と略同径とされている。また、この円筒状部３１の周壁部の径方向に沿う厚さ寸法は、強度上の観点や軋み音を抑制する観点等から適宜の寸法としてもよい。
【００２５】
鍔状部３２は、円筒状部３１の軸受穴２２ａへの挿入方向末端側となる開口周縁側端部（上下方向外方側周端部）から径方向に向けて突出するように設けられている。本実施形態では、この鍔状部３２の外郭形状を、軸方向に見て、円形状とし、円筒状部３１と同軸状（同心状）としている。
この鍔状部３２の外径は、軸受穴２２ａの開口周縁近傍部位を覆うように適宜の寸法としてもよい。また、この鍔状部３２の軸方向に沿う厚さ寸法は、強度上の観点や軋み音を抑制する観点等から適宜の寸法としてもよく、図例では、円筒状部３１の周壁部の径方向に沿う厚さ寸法よりも大きい寸法とした例を示している。
なお、鍔状部３２の外郭形状は、軸方向に見て円形状とされたものに限られず、多角形状等とされたものとしてもよい。
【００２６】
また、本実施形態では、軋み音抑制部材３０の円筒状部３１に、図２（ａ）及び図３（ａ）、（ｂ）に示すように、戸板下端側部材２０に設けられた被係合部２２ｃに係合する突起部３４を径方向に向けて突出するように設けている。
突起部３４は、円筒状部３１の外周面から径方向に向けて突出するように設けられている。本実施形態では、円筒状部３１の軸方向途中部位に突起部３４を設けた構成としている。つまり、鍔状部３２から軸方向に間隔を空けて、突起部３４を設けた構成としている。この鍔状部３２から突起部３４までの軸方向に沿う寸法は、戸板下端側部材２０の軸受穴２２ａの開口周縁から被係合部２２ｃまでの軸方向に沿う寸法に応じた寸法とされている。
また、この突起部３４の突出寸法は、突起部３４が戸板下端側部材２０の被係合部２２ｃに係合した状態で、軸受穴２２ａに差し入れられた軋み音抑制部材３０の意図しない脱離が抑制されるように適宜の寸法としてもよい。
【００２７】
また、本実施形態では、円筒状部３１の周方向に間隔を空けて複数の突起部３４，３４を設けている。図例では、円筒状部３１の周方向に互いに等間隔を空けて互いに同様の構成とされた２つの突起部３４，３４を設けた例を示している。
また、図例では、これら突起部３４，３４を、周方向に延びるように設け、周方向に見て、突出方向先端側に向けて先細り状の略台形状とした例を示している。なお、このような態様に代えて、これら突起部３４，３４を、周方向に見て、略半円状や略三角形状、略矩形状等としてもよい。
【００２８】
また、本実施形態では、これら突起部３４，３４を、突起部３４，３４の周囲の弾性変形を伴い、円筒状部３１の外周面に対して径方向に出没する構成としている。図例では、円筒状部３１の周壁部における突起部３４の周方向両側部位に、上下方向に延びるスリット状の開口３５，３５を設けた構成とし、突起部３４がその上下両側部位の弾性変形を伴い出没する構成としている。
なお、突起部３４を、突起部３４周囲の弾性変形を伴い径方向に出没可能とする態様としては、上記した例に限られず、突起部３４の上下両側に開口を設けた態様等としてもよい。また、突起部３４周囲の弾性変形を伴い突起部３４を径方向に出没可能とした態様に代えて、別部材とされた突起部３４を、円筒状部３１に径方向に出没可能に設けたような態様等としてもよい。
また、円筒状部３１の周方向に間隔を空けて３つ以上の突起部３４を設けた構成としてもよく、さらには、単一の突起部３４を設けた構成としてもよい。この場合は、円筒状部３１の全周に亘って突起部３４を設けたような態様としてもよい。
【００２９】
なお、上記構成とされた軋み音抑制部材３０は、耐磨耗性や摺動性の良好な合成樹脂系材料から形成されたものとしてもよい。例えば、軋み音抑制部材３０を、ポリアセタール（ＰＯＭ）や、ポリテトラフルオロエチレン（ＰＴＦＥ）、ポリエーテルエーテルケトン（ＰＥＥＫ）、ポリフェニレンサルファイド（ＰＰＳ）等から形成されたものとしてもよい。また、軋み音抑制部材３０を、合成樹脂系材料に油を含有させた含油ＰＯＭなどの含油プラスチックから形成されたものとしてもよい。
【００３０】
戸板下端側部材２０は、図１に示すように、軸受穴２２ａに縦枠側部材１０の軸部１４を受け入れ可能な位置となるように、戸尻側戸板６の縦枠側端部の下端部に止具９によって固定される。
この戸板下端側部材２０は、図１〜図３に示すように、戸尻側戸板６の戸幅方向に長尺状とされており、長手方向両端部のそれぞれに止具９が挿通される止具挿通孔２４ｃ，２４ｃを設けた構成とされている。
また、この戸板下端側部材２０は、戸尻側戸板６の縦枠側端部の下端部に設けられた下向き開口形状の収容凹所７に収容されるように取り付けられる。
【００３１】
本実施形態では、この戸板下端側部材２０を、図３に示すように、複数の板状部材２１，２２，２３，２４を備えた構成とし、戸尻側戸板６に対して固定される板状部材２１，２４に対する軸受穴２２ａの戸幅方向への位置調整を可能とした構成としている。本実施形態では、軸受穴２２ａが設けられ、操作部２５の操作によって戸幅方向に移動される調整部材２２を、これの上下両側に設けられ戸尻側戸板６に固定されるカバー部材２１とベース部材２４とによって挟むように保持した構成としている。また、本実施形態では、戸板下端側部材２０に、戸幅方向に位置調整された調整部材２２の移動を抑制する移動抑制部材２３を設けている。
また、本実施形態では、上下方向に沿う軸廻りに回転操作される操作部２５の回転に伴い、調整部材２２が戸幅方向に移動する構成としている。つまり、これら操作部２５と調整部材２２とには、回転運動を直線運動に変換する機構が設けられている。本実施形態では、操作部２５に、供廻りする円板状のカム２６を設け、調整部材２２に、内周面がカム作用面となるカム受孔２２ｂを設けた構成としている。
【００３２】
調整部材２２は、戸幅方向に長尺な略矩形平板状とされている。この調整部材２２の長手方向一方側部位に、厚さ方向に貫通するように軸受穴２２ａを設けている。また、本実施形態では、調整部材２２の上下方向外方側面（床側または天井側に向く面）における軸受穴２２ａの開口周縁部に、全周に亘って突出するように環状凸部を設けた構成としている。
また、この調整部材２２の長手方向他方側部位に、厚さ方向に貫通し、戸厚方向に長穴状（角丸長方形状）とされたカム受孔２２ｂを設けている。
操作部２５は、当該戸板下端側部材２０が戸尻側戸板６の収容凹所７に取り付けられた状態で、回転操作可能なように、戸尻側戸板６の下端面から突出するように配される。図例では、操作部２５を六角形状とした例を示している。この操作部２５には、カム２６に設けられた係合孔２６ａに挿通される係合軸２５ａが設けられている。係合軸２５ａは、操作部２５に対してカム２６が供廻りするようＤカット状とされ、カム２６の係合孔２６ａもこの係合軸２５ａに応じた形状とされ、また、当該カム２６の円心からずれた位置に設けられている。
【００３３】
また、操作部２５の係合軸２５ａの先端側は、当該戸板下端側部材２０が組み付けられた状態で、ベース部材２４に設けられた操作部用孔２４ｂを貫通し、抜け止め部材２７に固定される。
操作部２５の係合軸２５ａは、調整部材２２のカム受孔２２ｂの戸厚方向一方の半円の円心と同軸状となるように配される。また、カム２６の外径は、調整部材２２のカム受孔２２ｂの短径に応じた径とされ、このカム２６の回転に伴い、調整部材２２（軸受穴２２ａ）が戸幅方向に移動する構成とされている。なお、操作部２５の回転に伴い、調整部材２２を戸幅方向に移動させる機構としては、このようなカム機構に限られず、ラック及びピニオンやその他、種々の機構の採用が可能である。
【００３４】
戸尻側戸板６の収容凹所７の開口側に設けられるカバー部材２１は、戸幅方向に長尺状とされている。このカバー部材２１は、長手方向途中部位に、収容凹所７の底面側に向けて開口し、調整部材２２を収容する凹所が形成されるように、戸厚方向に見て略ハット形状とされている。このカバー部材２１の凹所の戸幅方向に沿う寸法は、図３（ａ）に示すように、調整部材２２の戸幅方向への移動が可能なように、調整部材２２の戸幅方向に沿う寸法よりも大きい寸法とされている。また、このカバー部材２１の長手方向途中部位には、軋み音抑制部材３０の円筒状部３１が挿通される軸挿通孔２１ａと操作部２５の係合軸２５ａの基端側が挿通される操作部用孔２１ｂとが厚さ方向に貫通するように設けられている。軸挿通孔２１ａは、上記した調整部材２２の環状凸部を受け入れる構成とされている。また、カバー部材２１の長手方向両端部には、厚さ方向に貫通するように、かしめ用孔２１ｃ，２１ｃが設けられている。
【００３５】
戸尻側戸板６の収容凹所７の底面側に設けられるベース部材２４は、戸幅方向に長尺状とされている。このベース部材２４は、長手方向途中部位に、収容凹所７の底面側に向けて開口し、抜け止め部材２７並びに軸部１４及び軋み音抑制部材３０（の円筒状部３１）の一部を受け入れる凹所が形成されるように、戸厚方向に見て略ハット形状とされている。
このベース部材２４の長手方向途中部位は、上記したカバー部材２１の長手方向途中部位の凹所の開口側を覆うように、カバー部材２１の凹所に差し入れられる構成とされている。また、このベース部材２４の長手方向途中部位には、軋み音抑制部材３０の円筒状部３１が挿通される軸挿通孔２４ａと操作部２５の係合軸２５ａの先端側が挿通される操作部用孔２４ｂとが厚さ方向に貫通するように設けられている。このベース部材２４の軸挿通孔２４ａ及びカバー部材２１の軸挿通孔２１ａは、調整部材２２の軸受穴２２ａに挿通された軋み音抑制部材３０の円筒状部３１の戸幅方向への移動を許容するように戸幅方向に長穴状とされている。
【００３６】
また、このベース部材２４の長手方向途中部位の戸厚方向両側には、調整部材２２の戸厚方向への移動を抑制するように、カバー部材２１側に向けて立ち上がる両立壁部が設けられている。
また、ベース部材２４の長手方向両端部には、カバー部材２１のかしめ用孔２１ｃ，２１ｃに挿通されてかしめられるはとめ（アイレット）状のかしめ突起が設けられており、上記した止具挿通孔２４ｃ，２４ｃは、このかしめ突起によって構成されている。当該戸板下端側部材２０は、このベース部材２４とカバー部材２１との間に調整部材２２及び移動抑制部材２３を収容させ、かしめ用孔２１ｃ，２１ｃにかしめ突起を挿入し、かしめて組み付けられる。なお、戸板下端側部材２０の組み付け態様としては、ねじ等の止具や溶接等によって組み付ける態様としてもよく、その他、種々の変形が可能である。
【００３７】
移動抑制部材２３は、調整部材２２を、カバー部材２１及びベース部材２４のうちの一方に押し付けて調整部材２２の移動を抑制する構成とされている。本実施形態では、移動抑制部材２３を板ばね状とし、ベース部材２４と調整部材２２との間に設けた構成としている。この移動抑制部材２３には、カバー部材２１及びベース部材２４と概ね同様、軋み音抑制部材３０の円筒状部３１が挿通される軸挿通孔２３ａと操作部２５の係合軸２５ａの先端側が挿通される操作部用孔２３ｂとが厚さ方向に貫通するように設けられている。
また、図例では、この移動抑制部材２３を、戸厚方向中央部位がベース部材２４側に向けて突出するように屈曲する形状とし、この屈曲部を、軸挿通孔２３ａ及び操作部用孔２３ｂが形成された部位を除いて戸幅方向の全体に亘って設けた構成としている。
【００３８】
この移動抑制部材２３の屈曲部が調整部材２２をカバー部材２１に押し付けることで、調整部材２２のベース部材２４側に、軋み音抑制部材３０の突起部３４を受け入れる空間が形成される。また、これにより、調整部材２２の軸受穴２２ａのベース部材２４側の開口周縁部に、軋み音抑制部材３０の突起部３４が係合する段状の被係合部２２ｃが周方向に沿って形成される。なお、軋み音抑制部材３０の突起部３４が係合する被係合部２２ｃとしては、このような態様に限られず、軸受穴２２ａの内周面等の適所に設けた係合凹部等としてもよい。
上記した軋み音抑制部材３０は、戸尻側戸板６の下端部に固定された戸板下端側部材２０の軸受穴２２ａに、円筒状部３１を嵌め入れるように差し入れ、突起部３４を、戸板下端側部材２０の被係合部２２ｃに係合させて取り付けられる。
【００３９】
戸板上端側部材２０Ａは、図１及び図２に示すように、戸板下端側部材２０を上下反転させた構成とされ、軸受穴２２ａに上枠側部材１５の軸部１８を受け入れ可能な位置となるように、戸尻側戸板６の縦枠側端部の上端部に止具９によって固定される。
この戸板上端側部材２０Ａは、戸板下端側部材２０と概ね同様、戸尻側戸板６の縦枠側端部の上端部に設けられた上向き開口形状の収容凹所８に収容されるように取り付けられる。
また、この戸板上端側部材２０Ａの軸受穴２２ａに、上記同様の軋み音抑制部材３０Ａが取り付けられる。
【００４０】
本実施形態に係る保持具１及びこれを備えた折戸装置Ａは、上述のような構成としたことで、折戸４の開閉時における軋み音の発生を抑制することができる。
つまり、縦枠３の見込面３ａに沿うように固定される固定片部１１の下端部から保持片部１３を突出させた金属製の縦枠側部材１０を備えた構成としている。従って、上記のように、保持具１が固定し難い床とされている場合にも、戸尻側戸板６の下端側を回転自在に保持する保持具１の縦枠側部材１０を縦枠３に固定することができる。
また、この縦枠側部材１０の保持片部１３及び戸尻側戸板６の縦枠側端部の下端部に固定される金属製の戸板側部材（戸板下端側部材）２０のうちの一方に設けられた軸部１４の外周面を全周に亘って覆うように配され、他方に設けられた軸受穴２２ａに差し入れられる樹脂製の軋み音抑制部材３０を備えた構成としている。従って、折戸４の開閉時における金属製の各部材の軸部１４と軸受穴２２ａとの擦れにより生じる軋み音の発生を抑制することができる。これにより、病院や福祉施設等の公共的な施設に設置され、比較的に重くなる傾向がある折戸４の戸尻側戸板６の下端側を保持する保持具１として好適なものとなる。
【００４１】
また、本実施形態では、軋み音抑制部材３０（３０Ａ）を、軸受穴２２ａに差し入れられる円筒状部３１と、この円筒状部３１における軸受穴２２ａの開口周縁側端部に全周に亘って設けられ、軸受穴２２ａの開口周縁に当接される鍔状部３２と、を備えた構成としている。従って、円筒状部３１を軸受穴２２ａに差し入れ、鍔状部３２を軸受穴２２ａの開口周縁に当接させることで、軋み音抑制部材３０を取り付けることができる。また、鍔状部３２が抜け止めとなり、軋み音抑制部材３０の軸受穴２２ａに対する軸方向への移動を抑制することができる。また、軸部１４（１８）の基端部周囲と軸受穴２２ａの開口周縁とが擦れ合うようなことも抑制することができ、軋み音の発生をより効果的に抑制することができる。なお、軋み音抑制部材３０（３０Ａ）に、このような鍔状部３２を設けないようにしてもよい。
【００４２】
また、本実施形態では、軋み音抑制部材３０（３０Ａ）の円筒状部３１に、戸板下端側部材２０（戸板上端側部材２０Ａ）に設けられた被係合部２２ｃに係合する突起部３４を径方向に向けて突出するように設けている。従って、軋み音抑制部材３０（３０Ａ）を、軸受穴２２ａに対して比較的に強固に取り付けることができ、また、意図しない脱離等を抑制することができる。なお、このような態様に代えて、突起部３４を、軸受穴２２ａの内周面に圧接されるものとしてもよく、さらには、このような突起部３４を軋み音抑制部材３０（３０Ａ）に設けないようにしてもよい。
【００４３】
また、本実施形態では、戸尻側戸板６の縦枠側端部の上端部に固定される金属製の戸板上端側部材２０Ａと、上枠側に固定される金属製の上枠側部材１５と、これらのうちの一方に取り付けられる上記同様の軋み音抑制部材３０Ａと、を備えた構成としている。従って、戸尻側戸板６の上端側における軋み音の発生をも抑制することができる。
【００４４】
また、本実施形態では、戸板下端側部材２０及び戸板上端側部材２０Ａを、互いに同一部材からなるものとしている。従って、戸尻側戸板６の上端側及び下端側のそれぞれに固定される部材を共通の部材とすることができ、取扱性を向上させることができる。また、これら戸板下端側部材２０及び戸板上端側部材２０Ａのそれぞれに、軋み音抑制部材３０，３０Ａがそれぞれに取り付けられる軸受穴２２ａ，２２ａを設けている。従って、折戸４側に軋み音抑制部材３０，３０Ａを取り付けることができ、例えば、上枠側に固定された上枠側部材１５に対して軋み音抑制部材３０Ａを取り付ける必要があるようなものと比べて、施工性を向上させることができる。
【００４５】
なお、本実施形態では、戸板下端側部材２０及び戸板上端側部材２０Ａを、これらが戸尻側戸板６に固定された状態で、戸尻側戸板６に対する軸受穴２２ａ，２２ａの戸幅方向への位置調整を可能とした構成とした例を示しているが、このような態様に限られない。戸板下端側部材２０及び戸板上端側部材２０Ａを、軸受穴２２ａ，２２ａの位置調整が不能とされたものとしてもよく、その他、種々の変形が可能である。この場合は、これら戸板下端側部材２０及び戸板上端側部材２０Ａを、複数の板状部材を備えた構成としないようにしてもよい。
また、本実施形態では、縦枠側部材１０及び上枠側部材１５に軸部１４，１８を設け、戸板下端側部材２０及び戸板上端側部材２０Ａに軸受穴２２ａ，２２ａを設けた例を示しているが、これらを逆側に設けるようにしてもよい。つまり、縦枠側部材１０及び上枠側部材１５に軸受穴２２ａ，２２ａを設け、戸板下端側部材２０及び戸板上端側部材２０Ａに軸部１４，１８を設けた構成としてもよい。
また、本実施形態では、戸板下端側部材２０及び戸板上端側部材２０Ａを、互いに同一部材からなるものとした例を示しているが、これらを互いに異なる部材からなるものとしてもよい。
【００４６】
また、本実施形態では、戸尻側戸板６の上枠側に固定される上枠側部材１５を備えた構成とした例を示しているが、下端側の縦枠側部材１０と同様の構成とされた上端側の縦枠側部材１０を備えた構成としてもよい。
また、本実施形態では、保持具１に、戸尻側戸板６の上端側を回転自在に保持する戸板上端側部材２０Ａ及び上枠側部材１５（上端側の縦枠側部材１０）を設けた構成としているが、これらを設けないようにしてもよい。この場合は、戸尻側戸板６の上端側を回転自在に保持する部材を別途、設けるようにしてもよい。例えば、戸尻側戸板６の上端側に、上レール２ｃに保持され、上レール２ｃに対して長手方向に移動不能とされたランナー部材を設けた態様等としてもよく、その他、種々の構成とされたものの採用が可能である。
【符号の説明】
【００４７】
Ａ            折戸装置
１            保持具
１０          縦枠側部材
１１          固定片部
１３          保持片部
１４          軸部
１５          上枠側部材
１８          軸部
２０          戸板下端側部材（戸板側部材）
２０Ａ        戸板上端側部材
２２ａ        軸受穴
２２ｃ        被係合部
３０，３０Ａ  軋み音抑制部材
３１          円筒状部
３２          鍔状部
３４          突起部
２            上枠
３            縦枠
３ａ          見込面
４            折戸
５            戸先側戸板
６            戸尻側戸板
【図１】
0006504491.tif 000002
【図２】
0006504491.tif 000003
【図３】
0006504491.tif 000004
【図４】
0006504491.tif 000005